(57)【特許請求の範囲】
【請求項１】
奥屋根に回動自在に取り付けられた鍵盤蓋の開閉を制御するための鍵盤蓋の開閉制御装置であって、
前記奥屋根がピアノ本体に着脱自在に取り付けられるとともに、
一端部が、前記鍵盤蓋の側面に形成された凹部に当該側面と面一になるように収容されるとともに前記鍵盤蓋に連結されたリンク機構と、
前記奥屋根に取り付けられるとともに、前記リンク機構の他端部が連結され、前記鍵盤蓋が閉方向に回動するときに前記リンク機構を介して前記鍵盤蓋を制動する緩衝器と、を備えており、
当該緩衝器は、前記リンク機構の他端部に連結された回動自在の軸部を有するワンウェイトルク式の油圧ダンパからなることを特徴とする鍵盤蓋の開閉制御装置。
【発明の詳細な説明】
【０００１】
【発明の属する技術分野】
本発明は、特にアップライトピアノやアップライト型電子ピアノの回動式の鍵盤蓋の開閉を制御する鍵盤蓋の開閉制御装置に関する。
【０００２】
【従来の技術】
この種の鍵盤蓋は、後端部が蝶番を介して奥屋根に回動自在に連結されていて、この蝶番を中心として開閉される。鍵盤蓋を閉じる場合には、これを手前側に引いて回動させ、鍵盤蓋の前端部下面を口棒の上面に当接させるようにしている。このような開閉方式では、閉じ操作が適切でない場合などに、鍵盤蓋が自重で勢いよく回動し、口棒に強く衝突して鍵盤蓋や口棒が損傷したり、鍵盤蓋と口棒の間に指を挟んだりするおそれがある。
【０００３】
鍵盤蓋の開閉制御装置は、このような不具合を解消するためのものであり、その１つとして、腕木または棚板に固定されたワンウェイトルク式油圧ダンパなどから成る緩衝器と、緩衝器と鍵盤蓋の間に連結されたリンク機構と、を備えたものが、従来知られている。この構成によれば、鍵盤蓋が閉じ方向に回動したときに、緩衝器の制動力がリンク機構を介して鍵盤蓋に作用することにより、鍵盤蓋がゆっくり閉じられる。
【０００４】
【発明が解決しようとする課題】
しかし、上述した従来の開閉制御装置は、鍵盤蓋の着脱について定めたＪＩＳ規定に対応しにくいという問題がある。すなわち、ＪＩＳには、アップライトピアノの鍵盤蓋は、工具などを用いることなく着脱できなければならないと規定されている。これに対して、従来の開閉制御装置では、緩衝器が、ピアノ本体と一体の腕木や棚板に固定されており、さらにリンク機構を介して鍵盤蓋と連結されているため、鍵盤蓋の取外しの際に、鍵盤蓋から緩衝器に至る部品間の連結部の少なくとも１個所で、部品同士を分離しなければならない。このため、ＪＩＳ規定を満たすには、分離すべき連結部を工具などによらず簡単に着脱できる構造とせざるを得ず、その場合には、その部分が鍵盤蓋の開閉時に外れやすくなり、鍵盤蓋の開閉を安定して行うことは困難になる。
【０００５】
本発明は、このような課題を解決するためになされたものであり、鍵盤蓋を安定して開閉でき、且つゆっくり閉じることができるとともに、鍵盤蓋の着脱を、工具などを用いることなく、容易に行うことができる鍵盤蓋の開閉制御装置を提供することを目的としている。
【０００６】
【課題を解決するための手段】
この目的を達成するため、本発明は、奥屋根に回動自在に取り付けられた鍵盤蓋の開閉を制御するための鍵盤蓋の開閉制御装置であって、奥屋根がピアノ本体に着脱自在に取り付けられるとともに、一端部が、鍵盤蓋の側面に形成された凹部にこの側面と面一になるように収容されるとともに鍵盤蓋に連結されたリンク機構と、奥屋根に取り付けられるとともに、リンク機構の他端部が連結され、鍵盤蓋が閉方向に回動するときにリンク機構を介して鍵盤蓋を制動する緩衝器と、を備えており、この緩衝器は、リンク機構の他端部に連結された回動自在の軸部を有するワンウェイトルク式の油圧ダンパからなることを特徴としている。
【０００７】
この鍵盤蓋の開閉制御装置では、鍵盤蓋を閉じる場合、鍵盤蓋の閉方向への回動中に、緩衝器がリンク機構を介して鍵盤蓋を制動するので、鍵盤蓋が減速され、鍵盤蓋は確実にゆっくりと閉じる。この緩衝器は、ワンウェイトルク式の油圧ダンパで構成されているので、コイルばねを利用した緩衝器と異なり、長期間の使用によっても疲労がほとんど無く、鍵盤蓋の制動を長期間安定して行うことができる。加えて、ピストンが直線的に進退するような油圧ダンパで緩衝器を構成する場合に比べて、緩衝器付近の省スペース化を図ることができる。また、ピアノ本体に対して着脱自在の奥屋根に緩衝器が取り付けられているので、鍵盤蓋の着脱を、奥屋根、緩衝器およびリンク機構と一緒にまとめて行うことができる。したがって、鍵盤蓋を工具などを用いずに容易に着脱でき、ＪＩＳの規定を簡単にクリアできるとともに、鍵盤蓋の開閉を、離脱などが生じることなく安定して行うことができる。さらに、リンク機構の一端部が、鍵盤蓋の側面の凹部に収容され、この側面と面一になって、鍵盤蓋を開いた状態で前方から見えなくなるので、ピアノの外観がさらに向上する。
【０００８】
【発明の実施の形態】
以下、本発明の一実施形態を、図面を参照しながら説明する。図１は、本発明を適用したアップライトピアノの鍵盤蓋およびその開閉制御装置を示している。鍵盤蓋１は、合板などで構成され、横長長方形の平面形状および逆Ｌ字状の断面形状を有している。鍵盤蓋１は、その後端部が奥屋根３の前端部に蝶番２を介して回動自在に取り付けられており、蝶番２を中心として、図１に示す開位置と、図２に示す閉位置との間で回動することにより、開閉される。
【０００９】
奥屋根３は、合板などから成り、その上に立設される上前板４と同様に、図示しないピアノ本体に対して着脱自在に構成されている。具体的には、奥屋根３の下面後端部に奥屋根付木５が取り付けられ、腕木（図示せず）から内方に突出する３つの奥屋根受け６間に奥屋根付木５が上方から嵌合されることにより、奥屋根３が腕木に着脱自在に取り付けられる。なお、図中の符号７は棚板、８は拍子木、９は棚板７の前面に取り付けられた口棒であり、鍵盤蓋１は、閉位置において口棒９に当接する。
【００１０】
本発明に係る開閉制御装置１０は、鍵盤蓋１の閉位置側への回動を制動するための緩衝器１１と、緩衝器１１の制動力を鍵盤蓋１に伝達するためのリンク機構１２とによって構成されている。
【００１１】
緩衝器１１は、オイルが充填された円筒形のケーシング１３と、ケーシング１３に回動自在に嵌合された軸部１４とを有するワンウェイトルク式の油圧ダンパで構成され、ケーシング１３の部分が、奥屋根３の下面の一方の側部に取付部材１５を介して、ねじ止めされている。そして、緩衝器１１は、軸部１４が図１の反時計方向に回動するときのみ制動を加え、逆方向への回動に対しては制動を行わない、すなわち無負荷となるように構成されている。また、緩衝器１１の制動力は、軸部１４の時計方向への回動角が大きくなるに従って、次第に大きくなるように設計されている。また、軸部１４には、その中心から径方向に延びるように、アーム１６が一体に設けられている。
【００１２】
リンク機構１２は、互いに回動自在に連結された２本のリンクバー１２ａ、１２ｂで構成されており、一方のリンクバー１２ａは、鍵盤蓋１の裏面下端部にねじ止めされ、他方のリンクバー１２ｂは、軸部１４のアーム１６に回動自在に連結されている。なお、奥屋根３の下面には、これらのリンクバー１２ａ、１２ｂが奥屋根３と干渉しないように逃がすための切欠き１７が形成されている。
【００１３】
次に、上記構成の開閉制御装置１０の動作を説明する。図３の実線は、図２と同様に、鍵盤蓋１が閉位置にある状態を示している。この閉位置では、鍵盤蓋１は、時計方向に最大限、回動していて、その前部が口棒９に当接し、鍵盤（図示せず）および拍子木８を覆っている。また、鍵盤蓋１にリンク機構１２を介して連結された緩衝器１１の軸部１４は、反時計方向に最大限、回動している。
【００１４】
この閉位置から、鍵盤蓋１を引き起こすようにすると、鍵盤蓋１が反時計方向すなわち後方に回動するとともに、緩衝器１１の軸部１４は、リンク機構１２に引っ張られることにより、時計方向に回動する。この回動は、鍵盤蓋１の前部の角部が上前板４に当接することによって終了し、鍵盤蓋１、リンク機構１２および緩衝器１１の軸部１４は、図１および図３の２点鎖線に示す開位置に達する。前述したように、この開位置方向への回動中は、緩衝器１１の制動力が作用しないので、鍵盤蓋１を容易に開放することができる。
【００１５】
この開位置から、鍵盤蓋１を手前側に倒すようにすると、鍵盤蓋１は時計方向に回動する。このとき、鍵盤蓋１には、リンク機構１２を介して、緩衝器１１の制動力が作用し、この制動力により、鍵盤蓋１の回動が減速され、緩衝される。また、緩衝器５の制動力は、鍵盤蓋１が閉位置に近づくにつれて次第に増大するので、回動速度が大きくなりやすい鍵盤蓋１の閉じ終わりに制動力が最大となり、鍵盤蓋１を確実にゆっくり閉じることができる。
【００１６】
また、本実施形態の開閉制御装置１０では、ピアノ本体に対して着脱自在に構成された奥屋根３に緩衝器１１が取り付けられているので、鍵盤蓋１の着脱を、奥屋根３、緩衝器１１およびリンク機構１２と一緒にまとめて行うことができる。したがって、鍵盤蓋１を工具などを用いずに容易に着脱可能で、ＪＩＳの規定を簡単にクリアできるとともに、鍵盤蓋１の開閉を、離脱などが生じることなく安定して行うことができる。さらに、鍵盤蓋１を開いた状態で、緩衝器１１およびリンク機構１２の大部分が奥屋根３の下側に隠れ、リンク機構１２の一部が鍵盤蓋１の下部にわずかに見えるだけなので、ピアノの外観上も好ましいものである。
【００１７】
次に、図４および図５を参照しながら、本発明の第２実施形態による鍵盤蓋の開閉制御装置を説明する。この開閉制御装置２０は、前述した第１実施形態の開閉制御装置１０と比較し、主として鍵盤蓋１へのリンク機構の取付け構造が異なるものである。すなわち、開閉制御装置１０では、リンク機構１２の鍵盤蓋１側のリンクバー１２ａが鍵盤蓋１の裏面下端部にねじ止めされているのに対し、開閉制御装置２０では、鍵盤蓋１の外側面に凹部２１が形成され、この凹部２１にリンク機構２２の鍵盤蓋１側のリンクバー２２ａが取り付けられている。凹部２１は、鍵盤蓋１に沿って延び、その背面に開口するとともに、リンクバー２２ａに合致した幅と深さを有しており、それにより、凹部２１にリンクバー２２ａが鍵盤蓋１の外側面と面一の状態で収容される。リンクバー２２ａは、この状態で、鍵盤蓋１の外側面にねじ２３で固定されている。
【００１８】
また、リンクバー２２ａは、第１実施形態のリンクバー１２ａよりも長く構成されている。これは、リンクバー２２ａを鍵盤蓋１の側面に取り付けた場合には、緩衝器１１側からせん断力が作用するようになるので、このせん断力に十分抵抗できるよう、リンクバー２２ａをしっかりと固定するためである。なお、本実施形態では、緩衝器１１の軸部１４とアーム１６は、あらかじめ一体に形成されている。他の構成は、第１実施形態と同様である。
【００１９】
以上の構成によれば、開閉制御装置２０の動作は、前述した第１実施形態の開閉制御装置１０とまったく同様であり、したがって、第１実施形態の場合と同様に、鍵盤蓋１を安定して開閉でき、且つゆっくり閉じることができるとともに、鍵盤蓋１の着脱を、工具などを用いることなく、容易に行うことができる。さらに、リンク機構２２のリンクバー２２ａが、鍵盤蓋１の外側面の凹部２１に収容され、この外側面と面一になって、鍵盤蓋１を開いた状態で前方から見えなくなるので、ピアノの外観をさらに向上させることができる。
【００２０】
なお、説明した２つの実施形態では、緩衝器１１としてワンウェイトルク式の油圧ダンパを用いているが、他の適当な緩衝器に代えることも可能である。また、実施形態はアップライトピアノの鍵盤蓋に適用した例であるが、本発明をアップライト型電子ピアノの鍵盤蓋に適用してもよいことは、もちろんである。
【００２１】
【発明の効果】
以上のように、本発明の鍵盤蓋の開閉制御装置は、鍵盤蓋を安定して開閉でき、且つゆっくり閉じることができるとともに、鍵盤蓋の着脱を、工具などを用いることなく、容易に行うことができるなどの効果を有している。
【図面の簡単な説明】
【図１】本発明の第１実施形態によるアップライトピアノの鍵盤蓋の開閉制御装置を、鍵盤蓋を開いた状態で、その周辺の構成とともに示す側面図である。
【図２】鍵盤蓋を閉じた状態の、図１と同様の側面図である。
【図３】開閉制御装置の動作を示す部分拡大側面図である。
【図４】本発明の第２実施形態による鍵盤蓋の開閉制御装置を、その周辺の構成とともに示す側面図である。
【図５】図４に対応する正面図である。
【符号の説明】
１  鍵盤蓋
３  奥屋根
１０  開閉制御装置
１１  緩衝器
１２  リンク機構
１４  軸部
２０  開閉制御装置
２１  凹部
２２  リンク機構
２２ａ  リンクバー
【図１】
0003681668.tif 000002
【図２】
0003681668.tif 000003
【図３】
0003681668.tif 000004
【図４】
0003681668.tif 000005
【図５】
0003681668.tif 000006